(57)【要約】【課題】安定化した中及び高圧電力絶縁体用組成物を提供すること。【解決手段】本発明は、ａ）ポリエチレン、b）硫黄原子を含有するフェノール系の酸化防止剤、c）移行性の帯電防止剤、及びd）有機過酸化物を含む組成物に関する。前記組成物は改善された水トリー耐性を備えた、中または高圧電力ケーブルのケーブル絶縁体としての架橋ポリエチレンの製造に有用である。【選択図】なし【特許請求の範囲】
【請求項１】
ａ）ポリエチレン、
b）硫黄原子を含有するフェノール系酸化防止剤、
c）移行性帯電防止剤、及び
d）有機過酸化物を含む組成物。
【請求項２】
前記硫黄原子を含有するフェノール系酸化防止剤は、式Ｉ、ＩＩ又はＩＩＩ
【化１】
2010506985.tif 000012
（式中、
Ｒ1は炭素原子数１ないし２０のアルキル基；又は炭素原子数２ないし２０のアルケニル
基、炭素原子数３ないし２０のアルキニル基、炭素原子数５ないし９のシクロアルキル基、フェニル基又はトリル基によって置換された炭素原子数１ないし２０のアルキル基を表し、
Ｒ2及びＲ3は互いに独立して、炭素原子数１ないし２０のアルキル基；フェニル基、ヒドロキシル基、シアノ基、ホルミル基、アセチル基又は−Ｏ−ＣＯ−Ｒ15によって置換された炭素原子数１ないし２０のアルキル基；炭素原子数２ないし２０のアルケニル基、炭素原子数３ないし２０のアルキニル基、炭素原子数５ないし９のシクロアルキル基；又はヒドロキシル基、フェニル基、４−クロロフェニル基、２−メトキシカルボニルフェニル基、ｐ−トリル基、１，３−ベンゾチアゾリ−２−イル基、−（ＣＨＲ16）ｎＣＯＯＲ17又は−（ＣＨＲ16）ｎＣＯＮＲ18Ｒ19によって置換された炭素原子数５ないし９のシクロアルキル基を表し、
Ｒ4は、水素原子又はメチル基を表し、
Ｒ5は、水素原子、炭素原子数１ないし１２のアルキル基又はシクロヘキシル基を表し、
Ｒ6は、炭素原子数１ないし１２のアルキル基又はシクロヘキシル基を表し、
Ｒ7は、水素原子又は炭素原子数１ないし４のアルキル基を表し、
Ｒ8は、炭素原子数１ないし１２のアルキル基又はシクロヘキシル基を表し、
Ｒ9は、水素原子、炭素原子数１ないし１２のアルキル基又はシクロヘキシル基を表し、
Ｒ10は、水素原子又は炭素原子数１ないし４のアルキル基を表し、
Ｒ11は、炭素原子数１ないし４のアルキル基を表し、
Ｒ12は、炭素原子数１ないし１２のアルキル基又はシクロヘキシル基を表し、
Ｒ13は、炭素原子数１ないし１２のアルキル基又はシクロヘキシル基を表し、
Ｒ14は、炭素原子数１ないし４のアルキル基を表し、
Ｒ15は、炭素原子数１ないし２０のアルキル基を表し、
Ｒ16は、水素原子又は炭素原子数１ないし６のアルキル基を表し、
Ｒ17は、炭素原子数１ないし２０のアルキル基；酸素原子又は硫黄原子で中断された炭素原子数３ないし２０のアルキル基；炭素原子数５ないし９のシクロアルキル基、フェニル
基、ベンジル基又はトリル基を表し、
Ｒ18とＲ19は互いに独立して、水素原子又は炭素原子数１ないし６のアルキル基を表し、ｎは１又は２を表す。）で表される化合物である、請求項１記載の組成物。
【請求項３】
前記硫黄原子を含有するフェノール系酸化防止剤は、式Ｉ（式中、Ｒ2及びＲ3は互いに独立して、炭素原子数６ないし１８のアルキル基で表す。）で表される化合物である、請求項２記載の組成物。
【請求項４】
前記硫黄原子を含有するフェノール系酸化防止剤は、式ＩＩ又はＩＩＩ（式中、基Ｒ5、
Ｒ6、Ｒ8、Ｒ9、Ｒ12又はＲ13の内、少なくとも１つは第三ブチル基を表す。）で表され
る化合物である、請求項２記載の組成物。
【請求項５】
前記硫黄原子を含有するフェノール系酸化防止剤は、式Ｉ、ＩＩ又はＩＩＩ（式中、
Ｒ1は、メチル基を表し、
Ｒ2及びＲ3は、互いに独立した炭素原子数８ないし１２のアルキル基を表し、
Ｒ4は、水素原子を表し、
Ｒ5は、水素原子又は炭素原子数１ないし４のアルキル基を表し、
Ｒ6は、炭素原子数１ないし４のアルキル基を表し、
Ｒ7は、水素原子又はメチル基を表し、
Ｒ8は、炭素原子数１ないし４のアルキル基を表し、
Ｒ9は、水素原子又は炭素原子数１ないし４のアルキル基を表し、
Ｒ10は、水素原子又はメチル基を表し、
Ｒ11は、メチル基を表し、
Ｒ12は、炭素原子数１ないし４のアルキル基を表し、
Ｒ13は、炭素原子数１ないし４のアルキル基を表し、
及びＲ14は、メチル基を表す。）
で表される化合物である、請求項２記載の組成物。
【請求項６】
前記移行性帯電防止剤は、エトキシ化アルキルアミン、エトキシ化ジアルキルアミン、脂肪酸エステル、ポリエチレングリコールエステル、ポリグリセロールエステル、グリシジルエステル、アルキルスルホネート、ペンタエリスリトールエステル、ソルビタンエステル及び脂肪酸のジエタノールアミド又はその混合物から成る群から選択される、請求項１記載の組成物。
【請求項７】
前記移行性帯電防止剤は、エトキシ化炭素原子数８ないし１８のアルキルアミン、エトキシ化炭素原子数８ないし１８のジアルキルアミン、ポリエチレングリコールと炭素原子数８ないし１８のカルボン酸とのエステル、ポリグリセロールと炭素原子数８ないし１８のカルボン酸とのエステル、グリセロールと炭素原子数８ないし１８のカルボン酸とのエステル、炭素原子数８ないし１８のアルキルスルホン酸エステル、ペンタエリスリトールと炭素原子数８ないし１８のカルボン酸とのエステル、ソルビタンと炭素原子数８ないし１８のカルボン酸とのエステル及び炭素原子数８ないし１８のカルボン酸のジエタノールアミド又はその混合物から成る群から選択される、請求項６記載の組成物。
【請求項８】
前記移行性帯電防止剤は、エトキシ化炭素原子数８ないし１８のアルキルアミン、エトキシ化炭素原子数８ないし１８のジアルキルアミン、ポリエチレングリコールモノラウリン酸エステル、ポリグリセロールステアリン酸エステル、グリシジルモノステアリン酸エステル、炭素原子数８ないし１８のアルキルスルホン酸エステル、ペンタエリスリトールモノステアリン酸エステル、ペンタエリスリトールジステアリン酸エステル、ソルビタンモノパルミチン酸エステル、ソルビタンモノステアリン酸エステル、ソルビタンモノオレイン酸エステル及びラウリン酸ジエタノールアミド又はその混合物から成る群から選択され
る、請求項７記載の組成物。
【請求項９】
成分（ａ）、（ｂ）、（ｃ）及び（ｄ）に加えて、更なる添加剤を含む請求項１記載の組成物。
【請求項１０】
前記更なる添加剤としてフェノール系抗酸化剤、光安定化剤及び／又は加工安定化剤を含む請求項９記載の組成物。
【請求項１１】
請求項１記載の組成物を加熱することを含む、架橋ポリエチレン組成物の製造方法。
【請求項１２】
請求項１１記載の方法に従い製造された架橋ポリエチレンを含む、中及び高圧電力ケーブルのケーブル絶縁体。
【請求項１３】
改善された水トリー耐性を備えた、中及び高圧電力ケーブルのケーブル絶縁体としての請求項１記載の組成物の使用。
【発明の詳細な説明】
【技術分野】
【０００１】
本発明は、ポリエチレン、硫黄原子を含有するフェノール系酸化防止剤、移行性帯電防止剤及び有機過酸化物を含む組成物に関する。前記組成物は改善された水トリー耐性を備えた中及び高圧電力ケーブルのケーブル絶縁体としての架橋ポリエチレンの製造に有用である。
【背景技術】
【０００２】
中及び高圧電力ケーブルは、絶縁体が水に曝される環境、例えば地下又は高湿度の場所に設置された時、寿命の短縮に悩まされる事が知られている。寿命の短縮は、有機高分子物質が液体又は気体状態の水存在下、長期間電場にかけられた時発生する水トリーの形成が原因とされている。水トリーの形成は交流電場、水分、時間及びイオンの存在の複雑な相互作用によって引き起こされると考えられる。最終結果は前記絶縁体の誘電強度の減少である。
【０００３】
特許文献１は、改善した水トリー耐性を有するポリエチレン組成物で絶縁された電力ケーブルを開示している。前記組成物は（ｉ）ポリエチレン、（ｉｉ）４，４’−チオビス（２−メチル−６−第三ブチルフェノール）、４，４’−チオビス（２−第三ブチル−５−メチルフェノール）及び２、２’−チオビス（６−第三ブチル−４−メチルフェノール）又は前述の化合物の混合物、及び（ｉｉｉ）約１０００ないし約１００，０００の範囲内の分子量を有するポリエチレングリコールを含む。
【０００４】
特許文献２は、（ａ）ポリエチレン、（ｂ）大気圧下５０℃以下の融点を持つスコーチ抑制剤、及び（ｃ）有機過酸化物を含む、スコーチ耐性が改善されたワイヤ及びケーブル用の絶縁体として使用するためのポリエチレン組成物を開示している。
【先行技術文献】
【特許文献】
【０００５】
【特許文献１】米国特許第６，８６９，９９５号明細書
【特許文献２】米国特許出願公開第２００２／０１９８３４４号明細書
【発明の概要】
【発明が解決しようとする課題】
【０００６】
水トリー耐性を備えた中及び高圧電力ケーブルのケーブル絶縁体としての架橋ポリエチレン製造のための既知の組成物は、絶縁体材料に兼ね備えることが必要とされる高い要求を、いまだ全ての点において完全に満足させているわけではない。特にポリエチレングリコールの同時使用は絶縁体材料の滲出問題を与える。
【課題を解決するための手段】
【０００７】
ポリエチレングリコールの移行性帯電防止剤との置き換えは中及び高圧電力ケーブルのケーブル絶縁体の水トリーに対する安定性を改善する、という事がいまや明らかになった。
【０００８】
よって本発明はａ）ポリエチレン、b）硫黄原子を含有するフェノール系酸化防止剤、c）移行性帯電防止剤、及びd）有機過酸化物を含む組成物を提供する。
【発明を実施するための形態】
【０００９】
好ましくは、前記硫黄原子を含有するフェノール系酸化防止剤は、式Ｉ、ＩＩ又はＩＩＩ
【化１】
2010506985.tif 000002
（式中、
Ｒ1は炭素原子数１ないし２０のアルキル基；又は炭素原子数２ないし２０のアルケニル
基、炭素原子数３ないし２０のアルキニル基、炭素原子数５ないし９のシクロアルキル基、フェニル基又はトリル基によって置換された炭素原子数１ないし２０のアルキル基を表し、
Ｒ2及びＲ3は互いに独立して、炭素原子数１ないし２０のアルキル基；フェニル基、ヒドロキシル基、シアノ基、ホルミル基、アセチル基又は−Ｏ−ＣＯ−Ｒ15によって置換された炭素原子数１ないし２０のアルキル基；炭素原子数２ないし２０のアルケニル基、炭素原子数３ないし２０のアルキニル基、炭素原子数５ないし９のシクロアルキル基；又はヒドロキシル基、フェニル基、４−クロロフェニル基、２−メトキシカルボニルフェニル基、ｐ−トリル基、１，３−ベンゾチアゾリ−２−イル基、−（ＣＨＲ16）ｎＣＯＯＲ17又は−（ＣＨＲ16）ｎＣＯＮＲ18Ｒ19によって置換された炭素原子数５ないし９のシクロアルキル基を表し、
Ｒ4は、水素原子又はメチル基を表し、
Ｒ5は、水素原子、炭素原子数１ないし１２のアルキル基又はシクロヘキシル基を表し、
Ｒ6は、炭素原子数１ないし１２のアルキル基又はシクロヘキシル基を表し、
Ｒ7は、水素原子又は炭素原子数１ないし４のアルキル基を表し、
Ｒ8は、炭素原子数１ないし１２のアルキル基又はシクロヘキシル基を表し、
Ｒ9は、水素原子、炭素原子数１ないし１２のアルキル基又はシクロヘキシル基を表し、
Ｒ10は、水素原子又は炭素原子数１ないし４のアルキル基を表し、
Ｒ11は、炭素原子数１ないし４のアルキル基を表し、
Ｒ12は、炭素原子数１ないし１２のアルキル基又はシクロヘキシル基を表し、
Ｒ13は、炭素原子数１ないし１２のアルキル基又はシクロヘキシル基を表し、
Ｒ14は、炭素原子数１ないし４のアルキル基を表し、
Ｒ15は、炭素原子数１ないし２０のアルキル基を表し、
Ｒ16は、水素原子又は炭素原子数１ないし６のアルキル基を表し、
Ｒ17は、炭素原子数１ないし２０のアルキル基；酸素原子又は硫黄原子で中断された炭素原子数３ないし２０のアルキル基；炭素原子数５ないし９のシクロアルキル基、フェニル基、ベンジル基又はトリル基を表し、
Ｒ18とＲ19は互いに独立して、水素原子又は炭素原子数１ないし６のアルキル基を表し、ｎは１又は２を表す。）で表される化合物である。
【００１０】
２０以下の炭素原子数を有するアルキル基は分岐又は直鎖の基、例えば、メチル基、エチル基、プロピル基、イソプロピル基、ｎ−ブチル基、第二ブチル基、イソブチル基、第三
ブチル基、２−エチルブチル基、ｎ−ペンチル基、イソペンチル基、１−メチルペンチル基、１，３−ジメチルブチル基、ｎ−ヘキシル基、１−メチルヘキシル基、ｎ−ヘプチル基、イソヘプチル基、１，１，３，３−テトラメチルブチル基、１−メチルヘプチル基、３−メチルヘプチル基、ｎ−オクチル基、２−エチルヘキシル基、１，１，３−トリメチルヘキシル基、１，１，３，３−テトラメチルペンチル基、ノニル基、デシル基、ウンデシル基、１−メチルウンデシル基、ドデシル基、１，１，３，３，５，５−ヘキサメチルヘキシル基、トリデシル基、テトラデシル基、ペンタデシル基、ヘキサデシル基、ヘプタデシル基又はオクタデシル基である。
【００１１】
炭素原子数２ないし２０のアルケニル基は、例えば、ビニル基、アリル（プロペ−２−エニル）基、ブテ−３−エニル基、ペンテ−４−エニル基、ヘキセ−５−エニル基、オクテ−７−エニル基、デセ−９−エニル基又はドデセ−１１−エニル基である。
【００１２】
炭素原子数３ないし２０のアルキニル基は、例えば、プロパルギル基、ブチ−３−イニル基、ヘキシ−５−イニル基、オクチ−７−イニル基、デシ−９−イニル基、ドデシ−１１−イニル基、テトラデシ−１３−イニル基、ヘキサデシ−１５−イニル基、オクタデシ−１７−イニル基又はエイコシ−１９−イニル基である。
【００１３】
炭素原子数５ないし９のシクロアルキル基は、例えば、シクロペンチル基、シクロヘキシル基、シクロヘプチル基、シクロオクチル基、シクロノニル基及び特にシクロヘキシル基である。
【００１４】
フェニル基により置換された炭素原子数１ないし２０のアルキル基は、例えば、ベンジル基、フェネチル基、α−メチルベンジル基、α、α−ジメチルベンジル基、フェニルブチル基、フェニル−α，α−ジメチルプロピル基、フェニルヘキシル基、フェニル−α，α−ジメチルブチル基、フェニルオクチル基又はフェニル−α，α−ジメチルヘキシル基である。
【００１５】
１又は２個のヒドロキシル基によって置換されたアルキル基は、例えば、２−ヒドロキシエチル基、２−ヒドロキシプロピル基、２−ヒドロキシブチル基、２−ヒドロキシヘキシル基、２−ヒドロキシオクチル基、２−ヒドロキシデシル基、２−ヒドロキシドデシル基、２−ヒドロキシテトラデシル基、２−ヒドロキシヘキサデシル基、２−ヒドロキシオクタデシル基、２−ヒドロキシエイコシル基又は２，３−ジヒドロキシプロピル基である。
【００１６】
フェニル基及びヒドロキシル基によって置換された炭素原子数１ないし２０のアルキル基は、例えば、１−フェニル−２−ヒドロキシエチル基である。
【００１７】
シアノ基によって置換された炭素原子数１ないし２０のアルキル基は、例えば、２−シアノエチル基である。
【００１８】
１ないし５個の酸素原子又は硫黄原子で中断された炭素原子数３ないし２０のアルキル基は、例えば、３−オキサプロピル基、３−チアプロピル基、３−オキサブチル基、３−チアブチル基、３−オキサペンチル基、３−チアペンチル基、３，６−ジオキサヘプチル基、３，６，９−トリオキサデシル基又は３，６，９，１２，１５，１８−ヘキサオキサノナデシル基である。
【００１９】
興味深い組成物は、硫黄原子を含有するフェノール系酸化防止剤として式Ｉ（式中、Ｒ2
及びＲ3は互いに独立して炭素原子数６ないし１８のアルキル基を表す。）で表される化
合物を含む。
【００２０】
好ましい組成物は、硫黄原子を含有するフェノール系酸化防止剤として式ＩＩ又はＩＩＩ（式中、基Ｒ5、Ｒ6、Ｒ8、Ｒ9、Ｒ12又はＲ13の内少なくとも１つは第三ブチル基を表す。）で表される化合物を含む。
【００２１】
硫黄原子を含有するフェノール系酸化防止剤として、式Ｉ、ＩＩ又はＩＩＩ
（式中、
Ｒ1は、メチル基を表し、
Ｒ2及びＲ3は、互いに独立して炭素原子数８ないし１２のアルキル基を表し、
Ｒ4は、水素原子を表し、
Ｒ5は、水素原子又は炭素原子数１ないし４のアルキル基を表し、
Ｒ6は、炭素原子数１ないし４のアルキル基を表し、
Ｒ7は、水素原子又はメチル基を表し、
Ｒ8は、炭素原子数１ないし４のアルキル基を表し、
Ｒ9は、水素原子、炭素原子数１ないし４のアルキル基を表し、
Ｒ10は、水素原子又はメチル基を表し、
Ｒ11は、メチル基を表し、
Ｒ12は、炭素原子数１ないし４のアルキル基を表し、
Ｒ13は、炭素原子数１ないし４のアルキル基を表し、
Ｒ14は、メチル基を表す。）
で表される化合物を含む組成物も又好ましい。
【００２２】
硫黄原子を含有するフェノール系酸化防止剤として、式Ａ、Ｂ、Ｃ、Ｄ及びＥで表される化合物を含む組成物が特に好ましい。
【化２】
2010506985.tif 000003
【００２３】
式Ａ、Ｂ、Ｃ、Ｄ及びＥで表される化合物は、例えば、イルガスタブ（登録商標：Ｉｒｇａｓｔａｂ）ケーブル  ＫＶ１０  、イルガノックス（登録商標：Ｉｒｇａｎｏｘ）１７２６、イルガノックス（登録商標：Ｉｒｇａｎｏｘ）４１５、エタノックス（登録商標：Ｅｔｈａｎｏｘ）７３６［Ａｌｂｅｍａｒｌｅ社より入手可能］及びイルガノックス（登録商標：Ｉｒｇａｎｏｘ）１０８１としてチバスペシャリティーケミカルズ社より市販されている。
【００２４】
式Ｉ、ＩＩ及びＩＩＩで表される化合物は、例えば、特許文献１又は特許文献２に開示されており、例えば上記文献に開示されている、当該業界で知られた方法により製造することが可能である。
【００２５】
興味深い組成物は、移行性帯電防止剤として、エトキシ化アルキルアミン、エトキシ化ジアルキルアミン、脂肪酸エステル、ポリエチレングリコールエステル、ポリグリセロールエステル、グリシジルエステル、アルキルスルホン酸エステル、ペンタエリトリトールエステル、ソルビタンエステル及び脂肪酸のジエタノールアミド又はそれらの混合物から成る群から選択された化合物を含む。
【００２６】
好ましい組成物は、移行性帯電防止剤として、エトキシ化炭素原子数８ないし１８のアルキルアミン、エトキシ化炭素原子数８ないし１８のジアルキルアミン、ポリエチレングリコールと炭素原子数８ないし１８のカルボン酸とのエステル、ポリグリセロールと炭素原子数８ないし１８のカルボン酸とのエステル、グリセロールと炭素原子数８ないし１８のカルボン酸とのエステル、炭素原子数８ないし１８のアルキルスルホン酸エステル、ペンタエリトリトールと炭素原子数８ないし１８のカルボン酸とのエステル、ソルビタンと炭素原子数８ないし１８のカルボン酸とのエステル及び炭素原子数８ないし１８の脂肪酸のジエタノールアミド又はそれらの混合物から成る群から選択された化合物を含む。
【００２７】
好ましい組成物は、移行性帯電防止剤として、エトキシ化炭素原子数８ないし１８のアルキルアミン、エトキシ化炭素原子数８ないし１８のジアルキルアミン、ポリエチレングリコールモノラウリン酸エステル、ポリグリセロールステアリン酸エステル、グリシジルモノステアリン酸エステル、炭素原子数８ないし１８のアルキルスルホン酸エステル、ペンタエリトリトールモノステアリン酸エステル、ペンタエリトリトールジステアリン酸エステル、ソルビタンモノパルミチン酸エステル、ソルビタンモノステアリン酸エステル、ソルビタンモノオレイン酸エステル及びラウリン酸ジエタノールアミド又はそれらの混合物から成る群から選択された化合物を含む。
【００２８】
これら移行性帯電防止剤は文献で知られており、例えばユニケマ社（ＩＣＩグループ）より「ＡＴＭＥＲ」という商標名の下に市販されている。
【００２９】
興味深い組成物は、有機過酸化物として、過酸化ジアルキル、例えば過酸化ジクミル、過酸化−ジ−第三ブチル、過酸化第三ブチルクミル、２，５−ジメチル−２，５−ジ（第三ブチルペルオキシ）ヘキサン、２，５−ジメチル−２，５−ジ（第三アミルペルオキシ）ヘキサン、２，５−ジメチル−２，５−ジ（第三ブチルペルオキシ）ヘキサン−３、２，５−ジメチル−２，５−ジ（第三アミルペルオキシ）ヘキサン−３、α，α−ジ［（第三ブチルペルオキシ）イソプロピル］ベンゼン、過酸化−ジ−第三アミル、１，３，５−トリ［（第三ブチルペルオキシ）イソプロピル］ベンゼン、１，３−ジメチル−３−（第三ブチルペルオキシ）ブタノール、１，３−ジメチル−３−（第三アミルペルオキシ）ブタノール、又はそれらの混合物を含む。
【００３０】
その他の好適な有機過酸化物は、例えばコハク酸ペルオキシド、過酸化ベンゾイル、第三ブチルペルオキシ−２−エチルヘキサノエート、ｐ−クロロベンゾイルペルオキシド、第
三ブチルペルオキシイソブチレート、第三ブチルペルオキシイソプロピルカルボネート、第三ブチルペルオキシラウレート、２，５−ジメチル−２，５−ジ（ベンゾイルペルオキシ）ヘキサン、第三ブチルペルオキシアセテート、ジ−第三ブチルジペルオキシフタレート、第三ブチルペルオキシマレイン酸、過酸化シクロヘキサノン、第三ブチルペルオキシベンゾエートである。好ましいものはジアルキルペルオキシドである。
【００３１】
有機過酸化物は１００ないし２００℃の範囲の分解温度をもつ。特に好ましいものは１５０℃の分解温度を有する過酸化ジクミルである。
【００３２】
成分（ａ）としてのポリエチレンは、エチレンのホモポリマー、又はエチレンと、少ない割合の１又はそれ以上の、３ないし１２個の炭素原子好ましくは４ないし８個の炭素原子を有するアルファ−オレフィン、所望によりジエン、とのコポリマー、もしくはこのようなホモポリマー及びコポリマーの混合物又はブレンドである。前記混合物は機械的なブレンド又はその場でのブレンドであり得る。アルファ−オレフィンの例は、プロピレン、１−ブテン、１−ヘキセン、４−メチル−１−ペンテン、並びに１−オクテンである。ポリエチレンは又、エチレンと、例えば酢酸ビニル又はアクリル酸エステル又はメタクリル酸エステルなどの、ビニルエステルのような不飽和エステルとのコポリマーでもあり得る。
【００３３】
好適なポリエチレンはいわゆる高圧ポリエチレンである。様々なこのようなポリマーが市販されている。高圧ポリエチレンは、好ましくは０．９１０ないし０．９３０ｇ／ｃｍ3
の範囲の密度を有するエチレンのホモポリマーである。このホモポリマーは又、約１ないし約５ｇ／１０分の範囲のメルトインデックスを有することができ、そして好ましくは約０．７５ないし約３ｇ／１０分のメルトインデックスを有する。メルトインデックスはＡＳＴＭ Ｄ−１２３８の下に決定される。
【００３４】
硫黄原子を含有するフェノール系酸化防止剤は、好ましくは、ポリエチレンの質量に基づき、０．０１ないし１０質量％、好ましくは０．０１ないし５質量％、通常は０．０１ないし２．５質量％の濃度でポリエチレンに添加される。
【００３５】
移行性帯電防止剤は、好ましくは、ポリエチレンの質量に基づき、０．０１ないし１０質量％、好ましくは０．０１％ないし５質量％、通常は０．０１ないし２．５％の濃度でポリエチレンに添加される。
【００３６】
有機過酸化物は、好ましくは、ポリエチレンの質量に基づき、０．５ないし５質量％、好ましくは１ないし３質量％の濃度でポリエチレンに添加される。
【００３７】
好ましくは、硫黄原子を含有するフェノール系酸化防止剤の質量比は、移行性帯電防止剤の質量に対して、０．５：２０ないし２０：０．５、通常は１：１０ないし１０：１である。
【００３８】
硫黄原子を含有するフェノール系酸化防止剤と移行性帯電防止剤の合計量は、好ましくは、ポリエチレンの質量に基づき、０．０１ないし１０質量％、通常は０．０５ないし５質量％である。
【００３９】
成分（ａ）、（ｂ）、（ｃ）及び（ｄ）に加えて、本発明の組成物は例えば以下のような更なる添加剤を含む。
１．酸化防止剤
１．１． アルキル化モノフェノール、例えば、２，６−ジ−第三ブチル−４−メチルフ
ェノール、２−第三ブチル−４，６−ジメチルフェノール、２，６−ジ−第三ブチル−４−エチルフェノール、２，６−ジ−第三ブチル−４−ｎ−ブチルフェノール、２，６−ジ
−第三ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−第三ブチル−４−メトキシメチルフェノール、直鎖状又は側鎖において分岐したノニルフェノール、例えば、２，６−ジ−ノニル−４−メチルフェノール、２，４−ジメチル−６−（１’−メチルウンデシ−１’−イル）フェノール、２，４−ジメチル−６−（１’−メチルヘプタデシ−１’−イル）フェノール、２，４−ジメチル−６−（１’−メチルトリデシ−１’−イル）フェノール及びそれらの混合物。
【００４０】
１．２． アルキルチオメチルフェノール、例えば、２，４−ジオクチルチオメチル−６
−第三ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【００４１】
１．３． ヒドロキノン及びアルキル化ヒドロキノン、例えば、２，６−ジ−第三ブチル
−４−メトキシフェノール、２，５−ジ−第三ブチルヒドロキノン、２，５−ジ−第三アミルヒドロキノン、２，６−ジフェニル−４−オクタデシルオキシフェノール、２，６−ジ−第三ブチルヒドロキノン、２，５−ジ−第三ブチル−４−ヒドロキシアニソール、３，５−ジ−第三ブチル−４−ヒドロキシアニソール、３，５−ジ−第三ブチル−４−ヒドロキシフェニルステアレート、ビス（３，５−ジ−第三ブチル−４−ヒドロキシフェニル）アジペート。
【００４２】
１．４． トコフェロール、例えば、α−トコフェロール、β−トコフェロール、γ−ト
コフェロール、δ−トコフェロール及びそれらの混合物（ビタミンＥ）。
【００４３】
１．５． ヒドロキシル化チオジフェニルエーテル、例えば、２，２’−チオビス（６−
第三ブチル−４−メチルフェノール）、２，２’−チオビス（４−オクチルフェノール）、４，４’−チオビス（６−第三ブチル−３−メチルフェノール）、４，４’−チオビス（６−第三ブチル−２−メチルフェノール）、４，４’−チオビス（３，６−ジ−第二アミルフェノール）、４，４’−ビス（２，６−ジメチル−４−ヒドロキシフェニル）ジスルフィド。
【００４４】
１．６． アルキリデンビスフェノール、例えば、２，２’−メチレンビス（６−第三ブ
チル−４−メチルフェノール）、２，２’−メチレンビス（６−第三ブチル−４−エチルフェノール）、２，２’−メチレンビス［４−メチル−６−（α−メチルシクロヘキシル）フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−第三ブチルフェノール）、２，２’−エチリデンビス（４，６−ジ−第三ブチルフェノール）、２，２’−エチリデンビス（６−第三ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−第三ブチルフェノール）、４，４’−メチレンビス（６−第三ブチル−２−メチルフェノール）、１，１−ビス（５−第三ブチル−４−ヒドロキシ−２−メチルフェニル）ブタン、２，６−ビス（３−第三ブチル−５−メチル−２−ヒドロキシベンジル）−４−メチルフェノール、１，１，３−トリス（５−第三ブチル−４−ヒドロキシ−２−メチルフェニル）ブタン、１，１−ビス（５−第三ブチル−４−ヒドロキシ−２−メチルフェニル）−３−ｎ−ドデシルメルカプトブタン、エチレングリコールビス［３，３−ビス（３’−第三ブチル−４’−ヒドロキシフェニル）ブチレート］、ビス（３−第三ブチル−４−ヒドロキシ−５−メチルフェニル）ジシクロペンタジエン、ビス［２−（３’−第三ブチル−２’−ヒドロキシ−５’−メチル
ベンジル）−６−第三ブチル−４−メチルフェニル］テレフタレート、１，１−ビス（３，５−ジメチル−２−ヒドロキシフェニル）ブタン、２，２−ビス（３，５−ジ−第三ブチル−４−ヒドロキシフェニル）プロパン、２，２−ビス（５−第三ブチル−４−ヒドロキシ−２−メチルフェニル）−４−ｎ−ドデシルメルカプトブタン、１，１，５，５−テトラ（５−第三ブチル−４−ヒドロキシ−２−メチルフェニル）ペンタン。
【００４５】
１．７． Ｏ−、Ｎ−及びＳ−ベンジル化合物、例えば、３，５，３’，５’−テトラ−
第三ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−第三ブチルベンジルメルカプトアセテート、トリス（３，５−ジ−第三ブチル−４−ヒドロキシベンジル）アミン、ビス（４−第三ブチル−３−ヒドロキシ−２，６−ジメチルベンジル）ジチオテレフタレート、ビス（３，５−ジ−第三ブチル−４−ヒドロキシベンジル）スルフィド、イソオクチル−３，５−ジ−第三ブチル−４−ヒドロキシベンジルメルカプトアセテート。
【００４６】
１．８． ヒドロキシベンジル化マロネート、例えば、ジオクタデシル−２，２−ビス（
３，５−ジ−第三ブチル−２−ヒドロキシベンジル）マロネート、ジオクタデシル−２−（３−第三ブチル−４−ヒドロキシ−５−メチルベンジル）マロネート、ジドデシルメルカプトエチル−２，２−ビス（３，５−ジ−第三ブチル−４−ヒドロキシベンジル）マロネート、ビス［４−（１，１，３，３−テトラメチルブチル）フェニル］−２，２−ビス（３，５−ジ−第三ブチル−４−ヒドロキシベンジル）マロネート。
【００４７】
１．９． 芳香族ヒドロキシベンジル化合物、例えば、１，３，５−トリス（３，５−ジ
−第三ブチル−４−ヒドロキシベンジル）−２，４，６−トリメチルベンゼン、１，４−ビス（３，５−ジ−第三ブチル−４−ヒドロキシベンジル）−２，３，５，６−テトラメチルベンゼン、２，４，６−トリス（３，５−ジ−第三ブチル−４−ヒドロキシベンジル）フェノール。
【００４８】
１．１０． トリアジン化合物、例えば、２，４−ビス（オクチルメルカプト）−６−（
３，５−ジ−第三ブチル−４−ヒドロキシアニリノ）−１，３，５−トリアジン、２−オクチルメルカプト−４，６−ビス（３，５−ジ−第三ブチル−４−ヒドロキシアニリノ）−１，３，５−トリアジン、２−オクチルメルカプト−４，６−ビス（３，５−ジ−第三ブチル−４−ヒドロキシフェノキシ）−１，３，５−トリアジン、２，４，６−トリス（３，５−ジ−第三ブチル−４−ヒドロキシフェノキシ）−１，２，３−トリアジン、１，３，５−トリス（３，５−ジ−第三ブチル−４−ヒドロキシベンジル）イソシアヌレート、１，３，５−トリス（４−第三ブチル−３−ヒドロキシ−２，６−ジメチルベンジル）イソシアヌレート、２，４，６−トリス（３，５−ジ−第三ブチル−４−ヒドロキシフェニルエチル）−１，３，５−トリアジン、１，３，５−トリス（３，５−ジ−第三ブチル−４−ヒドロキシフェニルプロピオニル）ヘキサヒドロ−１，３，５−トリアジン、１，３，５−トリス（３，５−ジシクロヘキシル−４−ヒドロキシベンジル）イソシアヌレート。
【００４９】
１．１１． ベンジルホスホネート、例えば、ジメチル−２，５−ジ−第三ブチル−４−
ヒドロキシベンジルホスホネート、ジエチル−３，５−ジ−第三ブチル−４−ヒドロキシベンジルホスホネート、ジオクタデシル−３，５−ジ−第三ブチル−４−ヒドロキシベンジルホスホネート、ジオクタデシル−５−第三ブチル−４−ヒドロキシ−３−メチルベンジルホスホネート、３，５−ジ−第三ブチル−４−ヒドロキシベンジルホスホン酸のモノエチルエステルのカルシウム塩。
【００５０】
１．１２． アシルアミノフェノール、例えば、４−ヒドロキシラウラニリド、４−ヒド
ロキシステアラニリド、オクチルＮ−（３，５−ジ−第三ブチル−４−ヒドロキシフェニル）カルバメート。
【００５１】
１．１３． β−（３，５−ジ−第三ブチル−４−ヒドロキシフェニル）プロピオン酸の
以下の一価又は多価アルコールとのエステル、アルコール例、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【００５２】
１．１４．β−（５−第三ブチル−４−ヒドロキシ−３−メチルフェニル）プロピオン酸の以下の一価又は多価アルコールとのエステル、アルコール例、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン、３，９−ビス［２−｛３−（３−第三ブチル−４−ヒドロキシ−５−メチルフェニル）プロピオニルオキシ｝−１，１−ジメチルエチル］−２，４，８，１０−テトラオキサスピロ［５．５］−ウンデカン。
【００５３】
１．１５．β−（３，５−ジシクロヘキシル−４−ヒドロキシフェニル）プロピオン酸の以下の一価又は多価アルコールとのエステル、アルコール例、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【００５４】
１．１６． ３，５−ジ−第三ブチル−４−ヒドロキシフェニル酢酸の以下の一価又は多
価アルコールとのエステル、アルコール例、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【００５５】
１．１７． β−（３，５−ジ−第三ブチル−４−ヒドロキシフェニル）プロピオン酸の
アミド、例えば、Ｎ，Ｎ’−ビス（３，５−ジ−第三ブチル−４−ヒドロキシフェニルプロピオニル）ヘキサメチレンジアミド、Ｎ，Ｎ’−ビス（３，５−ジ−第三ブチル−４−ヒドロキシフェニルプロピオニル）トリメチレンジアミド、Ｎ，Ｎ’−ビス（３，５−ジ
−第三ブチル−４−ヒドロキシフェニルプロピオニル）ヒドラジド、Ｎ，Ｎ’−ビス［２−（３−［３，５−ジ−第三ブチル−４−ヒドロキシフェニル］プロピオニルオキシ）エチル］オキサミド（ユニロイヤル社製ナウガードＸＬ−１（登録商標：Ｎａｕｇａｒｄ）。
【００５６】
１．１８． アスコルビン酸（ビタミンＣ）
【００５７】
１．１９． アミン系酸化防止剤、例えば、Ｎ，Ｎ’−ジ−イソプロピル−ｐ−フェニレ
ンジアミン、Ｎ，Ｎ’−ジ−第二ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−第二ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−第三オクチルフェニル）−１−ナフチルアミン、Ｎ−フェニル−２−ナフチルアミン、オクチル化ジフェニルアミン、例えばｐ，ｐ’−ジ−第三オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−第三ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、第三オクチル化Ｎ−フェニル−１−ナフチルアミン、モノ−及びジアルキル化第三ブチル／第三オクチルジフェニルアミンの混合物、モノ−及びジアルキル化ノニルジフェニルアミンの混合物、モノ−及びジアルキル化ドデシルジフェニルアミンの混合物、モノ−及びジアルキル化イソプロピル／イソヘキシルジフェニルアミンの混合物、モノ−及びジアルキル化第三ブチルジフェニルアミンの混合物、２，３−ジヒドロ−３，３−ジメチル−４Ｈ−１，４−ベンゾチアジン、フェノチアジン、モノ−及びジアルキル化第三ブチル／第三オクチルフェノチアジンの混合物、モノ−及びジアルキル化第三オクチルフェノチアジンの混合物、Ｎ−アリルフェノチアジン、Ｎ，Ｎ，Ｎ’，Ｎ’−テトラフェニル−１，４−ジアミノブテ−２−エン。
【００５８】
２． ＵＶ吸収剤及び光安定剤
２．１．２−（２’−ヒドロキシフェニル）ベンゾトリアゾール、例えば、２−（２’−ヒドロキシ−５’−メチルフェニル）ベンゾトリアゾール、２−（３’，５’−ジ−第三ブチル−２’−ヒドロキシフェニル）ベンゾトリアゾール、２−（５’−第三ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−第三ブチル−２’−ヒドロキシフェニル）−５−クロロ−ベンゾトリアゾール、２−（３’−第三ブチル−２’−ヒドロキシ−５’−メチルフェニル）−５−クロロ−ベンゾトリアゾール、２−（３’−第二ブチル−５’−第三ブチル−２’−ヒドロキシフェニル）ベンゾトリアゾール、２−（２’−ヒドロキシ−４’−オクチルオキシフェニル）ベンゾトリアゾール、２−（３’，５’−ジ−第三アミル−２’−ヒドロキシフェニル）ベン
ゾトリアゾール、２−（３’，５’−ビス（α，α−ジメチルベンジル）−２’−ヒドロキシフェニル）ベンゾトリアゾール、２−（３’−第三ブチル−２’−ヒドロキシ−５’−（２−オクチルオキシカルボニルエチル）フェニル）−５−クロロ−ベンゾトリアゾール、２−（３’−第三ブチル−５’−［２−（２−エチルヘキシルオキシ）−カルボニルエチル］−２’−ヒドロキシフェニル）−５−クロロ−ベンゾトリアゾール、２−（３’−第三ブチル−２’−ヒドロキシ−５’−（２−メトキシカルボニルエチル）フェニル）−５−クロロ−ベンゾトリアゾール、２−（３’−第三ブチル−２’−ヒドロキシ−５’−（２−メトキシカルボニルエチル）フェニル）ベンゾトリアゾール、２−（３’−第三ブチル−２’−ヒドロキシ−５’−（２−オクチルオキシカルボニルエチル）フェニル）ベンゾトリアゾール、２−（３’−第三ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−第三ブチル−２’−ヒドロキシ−５’−（２−イソオクチルオキシカルボニルエチル）フェニルベンゾトリアゾール、２，２’−メチレン−ビス［４−（１，１，３，３−テトラメチルブチル）−６−ベンゾトリアゾール−２−イルフェノール］、２−［３’−第三ブチル−５’−（２−メトキシカルボニルエチル）−２’−ヒドロキシフェニル］−２Ｈ−ベンゾトリアゾールとポリエチレングリコール３００とのエステル交換生成物、次式［Ｒ−ＣＨ2ＣＨ2−ＣＯＯ−ＣＨ2ＣＨ2−］2−［式中、Ｒは３’−第三ブチル−４’−
ヒドロキシ−５’−２Ｈ−ベンゾトリアゾリ−２−イルフェニル基を表す。］で表されるもの、２−［２’−ヒドロキシ−３’−（α，α−ジメチルベンジル）−５’−（１，１，３，３−テトラメチルブチル）フェニル］ベンゾトリアゾール、２−［２’−ヒドロキシ−３’−（１，１，３，３−テトラメチルブチル）−５’−（α，α−ジメチルベンジル）フェニル］ベンゾトリアゾール。
【００５９】
２．２． ２−ヒドロキシベンゾフェノン、
例えば、４−ヒドロキシ、４−メトキシ、４−オクチルオキシ、４−デシルオキシ、４−ドデシルオキシ、４−ベンジルオキシ、４，２’，４’−トリヒドロキシ及び２’−ヒドロキシ−４，４’−ジメトキシ誘導体。
【００６０】
２．３． 置換及び未置換安息香酸のエステル、
例えば、４−第三ブチル−フェニルサリチレート、フェニルサリチレート、オクチルフェニルサリチレート、ジベンゾイルレゾルシノール、ビス（４−第三ブチルベンゾイル）レゾルシノール、ベンゾイルレゾルシノール、２，４−ジ−第三ブチルフェニル３，５−ジ−第三ブチル−４−ヒドロキシベンゾエート、ヘキサデシル３，５−ジ−第三ブチル−４−ヒドロキシベンゾエート、オクタデシル３，５−ジ−第三ブチル−４−ヒドロキシベンゾエート、２−メチル−４，６−ジ−第三ブチルフェニル３，５−ジ−第三ブチル−４−ヒドロキシベンゾエート。
【００６１】
２．４． アクリレート、
例えば、エチルα−シアノ−β，β−ジフェニルアクリレート、イソオクチルα−シアノ−β，β−ジフェニルアクリレート、メチルα−カルボメトキシシンナメート、メチルα−シアノ−β−メチル−ｐ−メトキシシンナメート、ブチルα−シアノ−β−メチル−ｐ−メトキシシンナメート、メチルα−カルボメトキシ−ｐ−メトキシシンナメート、Ｎ−（β−カルボメトキシ−β−シアノビニル）−２−メチルインドリン、及びネオペンチルテトラ（α−シアノ−β，β−ジフェニル）アクリレート。
【００６２】
２．５． ニッケル化合物、
例えば、２，２’−チオ−ビス［４−（１，１，３，３−テトラメチルブチル）フェノール］のニッケル錯体、例えば１：１又は１：２錯体であって、ｎ−ブチルアミン、トリエタノールアミン又はＮ−シクロヘキシルジエタノールアミンのようなさらなる配位子を伴
う又は伴わないもの、ニッケルジブチルジチオカルバメート、４−ヒドロキシ−３，５−ジ−第三ブチルベンジルホスホン酸のモノアルキルエステル、例えばメチル又はエチルエステルのニッケル塩、ケトキシムのニッケル錯体、例えば２−ヒドロキシ−４−メチルフェニルウンデシルケトキシムニッケル錯体、１−フェニル−４−ラウロイル−５−ヒドロキシピラゾールのニッケル錯体であって、さらなる配位子を伴う又は伴わないもの。
【００６３】
２．６． 立体障害性アミン、例えば、ビス（２，２，６，６−テトラメチル−４−ピペ
リジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−第三ブチル−４−ヒドロキシベンジルマロネート、１−（２−ヒドロキシエチル）−２，２，６，６−テトラメチル−４−ヒドロキシピペリジンとコハク酸の縮合物、Ｎ，Ｎ’−ビス（２，２，６，６−テトラメチル−４−ピペリジル）ヘキサメチレンジアミンと４−第三オクチルアミノ−２，６−ジクロロ−１，３，５−トリアジンの直鎖状又は環式縮合物、トリス（２，２，６，６−テトラメチル−４−ピペリジル）ニトリロトリアセテート、テトラキス（２，２，６，６−テトラメチル−４−ピペリジル）−１，２，３，４−ブタン−テトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−第三ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）ヘキサメチレンジアミンと４−モルホリノ−２，６−ジクロロ−１，３，５−トリアジンの直鎖状又は環式縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンの縮合物、２−クロロ−４，６−ジ−（４−ｎ−ブチルアミノ−１，２，２，６，６−ペンタメチルピペリジル）−１，３，５−トリアジンと１，２−ビス（３−アミノプロピルアミノ）エタンの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−及び４−ステアリルオキシ−２，２，６，６−テトラメチルピペリジンの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンの縮合物、１，２−ビス（３−アミノプロピルアミノ）エタンと２，４，６−トリクロロ−１，３，５−トリアジン並びに４−ブチルアミノ−２，２，６，６−テトラメチルピペリジンの縮合生成物（ＣＡＳ 登録番号［１３６５０４−９６−
６］）、１，６−ヘキサンジアミンと２，４，６−トリクロロ−１，３，５−トリアジン並びにＮ，Ｎ−ジブチルアミンと４−ブチルアミノ−２，２，６，６−テトラメチルピペリジンの縮合生成物（ＣＡＳ登録番号［１９２２６８−６４−７］）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソスピロ［４．５］デカン、７，７，９，９−テトラメチル−２−シクロウンデシル−１−オキサ−３，８−ジアザ−４−オキソスピロ［４．５］デカンとエピクロロヒドリンの反応生成物、１，１−ビス（１，２，２，６，６−ペンタメチル−４−ピペリジルオキシカルボ
ニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物−α−オレフィン−コポリマーと２，２，６，６−テトラメチル−４−アミノピペリジン又は１，２，２，６，６−ペンタメチル−４−アミノピペリジンとの反応生成物、２，４−ビス［Ｎ−（１−シクロヘキシルオキシ−２，２，６，６−テトラメチルピペリジン−４−イル）−Ｎ−ブチルアミノ］−６−（２−ヒドロキシエチル）アミノ−１，３，５−トリアジン、１−（２−ヒドロキシ−２−メチルプロポキシ）−４−オクタデカノイルオキシ−２，２，６，６−テトラメチルピペリジン、５−（２−エチルヘキサノイル）−オキシメチル−３，３，５−トリメチル−２−モルホリノン、サンジュバー（クラリアント（Ｃｌａｒｉａｎｔ）社；ＣＡＳ登録番号［１０６９１７−３１−１］）、５−（２−エチルヘキサノイル）オキシメチル−３，３，５−トリメチル−２−モルホリノン、２，４−ビス−［（１−シクロヘキシルオキシ−２，２，６，６−ピペリジン−４−イル）ブチルアミノ］６−クロロ−ｓ−トリアジンとＮ，Ｎ’−ビス（３−アミノプロピル）エチレンジアミン）の反応生成物、１，３，５−トリス（Ｎ−シクロヘキシル−Ｎ−（２，２，６，６−テトラメチルピペラジン−３−オン−４−イル）アミノ）−ｓ−トリアジン、１，３，５−トリス（Ｎ−シクロヘキシル−Ｎ−（１，１，２，２，６，６−ペンタメチルピペラジン−３−オン−４−イル）アミノ）−ｓ−トリアジン。
【００６４】
２．７． オキサミド、
例えば、４，４’−ジオクチルオキシオキサニリド、２，２’−ジエトキシオキサニリド、２，２’−ジオクチルオキシ−５，５’−ジ−第三ブトキサニリド、２，２’−ジドデシルオキシ−５，５’−ジ−第三ブトキサニリド、２−エトキシ−２’−エチルオキサニリド、Ｎ，Ｎ’−ビス（３−ジメチルアミノプロピル）オキサミド、２−エトキシ−５−第三ブチル−２’−エトキサニリド、及びその２−エトキシ−２’−エチル−５，４’−ジ−第三ブトキサニリドとの混合物、ｏ−及びｐ−メトキシ−二置換オキサニリドの混合物、及びｏ−及びｐ−エトキシ−二置換オキサニリドの混合物。
【００６５】
２．８．２−（２−ヒドロキシフェニル）−１，３，５−トリアジン、例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチロキシプロポキシ）フェニル］−４，６−ビス（２，４−ジメチル）−１，３，５−トリアジン、２−［２−ヒドロキシ−４−（２−ヒドロキシ−３−オクチルオキシプロポキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロピルオキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−
４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン及び２，４−ビス（４−［２−エチルヘキシルオキシ］−２−ヒドロキシフェニル）−６−（４−メトキシフェニル）−１，３，５−トリアジン。
【００６６】
３． 金属奪活剤、例えば、Ｎ，Ｎ’−ジフェニルオキサミド、Ｎ−サリチラル−Ｎ’−
サリチロイルヒドラジン、Ｎ，Ｎ’−ビス（サリチロイル）ヒドラジン、Ｎ，Ｎ’−ビス（３，５−ジ−第三ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【００６７】
４． ホスフィット及びホスホナイト、例えば、トリフェニルホスフィット、ジフェニル
アルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−第三ブチルフェニル）ホスフィット、ジイソデシルペンタエリトリトールジホスフィット、ビス（２，４−ジ−第三ブチルフェニル）ペンタエリトリトールジホスフィット、ビス（２，４−ジ−クミルフェニル）ペンタエリトリトールジホスフィット、ビス（２，６−ジ−第三ブチル−４−メチルフェニル）ペンタエリトリトールジホスフィット、ジイソデシルオキシペンタエリトリトールジホスフィット、ビス（２，４−ジ−第三ブチル−６−メチルフェニル）ペンタエリトリトールジホスフィット、ビス（２，４，６−トリス（第三ブチルフェニル）ペンタエリトリトールジホスフィット、トリステアリルソルビトールトリホスフィット、テトラキス（２，４−ジ−第三ブチルフェニル）４，４’−ビフェニレンジホスホナイト、６−イソオクチルオキシ−２，４，８，１０−テトラ−第三ブチル−１２Ｈ−ジベンズ［ｄ，ｇ］−１，３，２−ジオキサホスホシン、ビス（２，４−ジ−第三ブチル−６−メチルフェニル）メチルホスフィット、ビス（２，４−ジ−第三ブチル−６−メチルフェニル）エチルホスフィット、６−フルオロ−２，４，８，１０−テトラ−第三ブチル−１２−メチル−ジベンズ［ｄ，ｇ］−１，３，２−ジオキサホスホシン、２，２’，２"−ニトリロ
［トリエチルトリス（３，３’，５，５’−テトラ−第三ブチル−１，１’−ビフェニル−２，２’−ジイル）ホスフィット］、２−エチルヘキシル（３，３’，５，５’−テトラ−第三ブチル−１，１’−ビフェニル−２，２’−ジイル）ホスフィット、５−ブチル−５−エチル−２−（２，４，６−トリ−第三ブチルフェノキシ）−１，３，２−ジオキサホスフィラン。
【００６８】
５． ヒドロキシルアミン、例えば、Ｎ，Ｎ−ジベンジルヒドロキシルアミン、Ｎ，Ｎ−
ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化牛脂アミンから誘導されたＮ，Ｎ−ジアルキルヒドロキシルアミン。
【００６９】
６． ニトロン、例えば、Ｎ−ベンジル−α−フェニルニトロン、Ｎ−エチル−α−メチ
ルニトロン、Ｎ−オクチル−α−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎ−オクタデシル−α−ヘキサデシルニトロン、水素化牛脂アミンから誘導されたＮ，Ｎ−ジアルキルヒドロキシルアミンから誘導されたニトロン。
【００７０】
７． チオ相乗剤、例えば、ジラウリルチオジプロピオネート、ジミリスチルチオジプロ
ピオネート、ジステアリルチオジプロピオネート又はジステアリルジスルフィド。
【００７１】
８． 過酸化物捕捉剤、例えば、β−チオジプロピオン酸のエステル、例えば、ラウリル
、ステアリル、ミリスチル又はトリデシルエステル、メルカプトベンズイミダゾール又は２−メルカプトベンズイミダゾールの亜鉛塩、亜鉛ジブチルジチオカルバメート、ジオクタデシルジスルフィド、ペンタエリトリトールテトラキス（β−ドデシルメルカプト）プロピオネート。
【００７２】
９． ポリアミド安定剤、例えば、ヨウ化物及び／又はリン化合物と組み合わせた銅塩及
び二価マグネシウムの塩。
【００７３】
１０． 塩基性補助安定剤、例えば、メラミン、ポリビニルピロリドン、ジシアンジアミ
ド、トリアリルシアヌレート、尿素誘導体、ヒドラジン誘導体、アミン、ポリアミド、ポリウレタン、高級脂肪酸のアルカリ金属塩及びアルカリ土類金属塩、例えばステアリン酸カルシウム、ステアリン酸亜鉛、ベヘン酸マグネシウム、ステアリン酸マグネシウム、リシノール酸ナトリウム及びパルミチン酸カリウム、アンチモンピロカテコレート又は亜鉛ピロカテコレート。
【００７４】
１１．核剤、例えば、タルクのような無機物質、二酸化チタン又は酸化マグネシウムのような金属酸化物、ホスフェート、カーボネート又はサルフェートであって、好ましくはアルカリ土類金属のもの；モノ−又はポリカルボン酸のような有機化合物及びそれらの塩、例えば、４−第三ブチル安息香酸、アジピン酸、ジフェニル酢酸、ナトリウムスクシネート又はナトリウムベンゾエート；イオン性コポリマー（アイオノマー）のようなポリマー性化合物。特に好ましいのは、１，３：２，４―ビス（３’，４’−ジメチルベンジリデン）ソルビトール、１，３：２，４−ジ（パラメチルジベンジリデン）ソルビトール及び１，３：２，４−ジ（ベンジリデン）ソルビトール。
【００７５】
１２．充填剤及び強化剤、例えば、炭酸カルシウム、シリケート、ガラス繊維、ガラス球、アスベスト、タルク、カオリン、雲母、硫酸バリウム、金属オキシド及びヒドロキシド、カーボンブラック、グラファイト、木粉及び他の天然生成物の粉末又は繊維、合成繊維。
【００７６】
１３． その他の添加剤、例えば、可塑剤、潤滑剤、乳化剤、顔料、レオロジー添加剤、
触媒、流れ調整剤、蛍光増白剤、難燃剤、帯電防止剤、殺菌剤、抗菌剤及び発泡剤。
【００７７】
１４． ベンゾフラノン及びインドリノン、例えば、米国特許第４，３２５，８６３号明
細書、米国特許第４，３３８，２４４号明細書、米国特許第５，１７５，３１２号明細書、米国特許第５，２１６，０５２号明細書、米国特許第５，２５２，６４３号明細書、独国特許出願公開第４３１６６１１号明細書、独国特許出願公開第４３１６６２２号明細書、独国特許出願公開第４３１６８７６号明細書、欧州特許出願公開第０５８９８３９号明細書、欧州特許出願公開第０５９１１０２号明細書、欧州特許出願公開第１２９１３８４
号明細書において開示されるもの、又は３−［４−（２−アセトキシエトキシ）フェニル］−５，７−ジ−第三ブチル−ベンゾフラノ−２−オン、５，７−ジ−第三ブチル−３−［４−（２−ステアロイルオキシエトキシ）フェニル］ベンゾフラノ−２−オン、３，３’−ビス［５，７−ジ−第三ブチル−３−（４−［２−ヒドロキシエトキシ］フェニル）ベンゾフラノ−２−オン］、５，７−ジ−第三ブチル−３−（４−エトキシフェニル）ベンゾフラノ−２−オン、３−（４−アセトキシ−３，５−ジメチルフェニル）−５，７−ジ−第三ブチル−ベンゾフラノ−２−オン、３−（３，５−ジメチル−４−ピバロイルオキシフェニル）−５，７−ジ−第三ブチル−ベンゾフラノ−２−オン、３−（３，４−ジメチルフェニル）−５，７−ジ−第三ブチル−ベンゾフラノ−２−オン、３−（２，３−ジメチルフェニル）−５，７−ジ−第三ブチル−ベンゾフラノ−２−オン、３−（２−アセチル−５−イソオクチルフェニル）−５−イソオクチルベンゾフラン−２−オン。
【００７８】
更なる添加剤は通常、処理されるポリエチレンの総質量に基づき、０．０１ないし１０％の濃度で使用される。
【００７９】
本発明の好ましい組成物は、更なる添加物としてフェノール系酸化防止剤、光安定化剤及び／又は加工安定剤を含む。
【００８０】
所望により、色の劣化に対して、エポキシ化大豆油を１ないし３％、好ましくは２％の量でポリエチレンに加える事ができる。
【００８１】
本発明は、成分（ａ）、（ｂ）、（ｃ）及び（ｄ）をそれぞれ５ないし９０質量％、合計で１００％含むマスターバッチ又は濃縮物の形態の組成物にも関連する。
【００８２】
成分（ｂ）、（ｃ）及び（ｄ）は、更なる添加剤の有無に関わらず、純粋な形態でワックス、オイル又はポリマーに封入されて、ポリエチレンに配合される。
【００８３】
好ましい実施態様では、加工は押出し成形機で行われる。成分（ｂ）、（ｃ）及び（ｄ）、及び所望により更なる添加物、はポリエチレンと混合されそして押し出される。
【００８４】
押出し物は、それを次いで有機過酸化物が分解する温度よりも高い分解温度に曝すことによって架橋させる。押出しは中又は高圧電力ケーブルを形成するために１つ以上の導電体を取り巻いて行うことができる。導電体は裸導電体であるか又は一次絶縁及び／又は半導体層により取り巻かれているものかである。ケーブルは次いで架橋温度にさらされる。
【００８５】
架橋はいずれかの慣用の方式によって、例えばオーブン中又は連続加硫管中で、必須ではないが所望により窒素雰囲気及び加圧下で行うことができる。
【００８６】
本発明は、成分（ａ）、（ｂ）、（ｃ）及び（ｄ）を含む組成物を加熱することを含む架橋ポリエチレン組成物の製造方法にも関するものである。
【００８７】
本発明の更なる実施態様は、前記記載の方法により製造された架橋ポリエチレンを含む中及び高圧電力ケーブルのケーブル絶縁体に関するものである。
【００８８】
安定化した組成物は、水トリー耐性が改善された中及び高圧電力ケーブルのケーブル絶縁体としての使用に適している。中電圧の範囲は６ｋＶないし６９ｋＶである。「高電圧」は約６９ｋＶを超える、特に１００−２００ｋＶに関する。
【００８９】
架橋ポリエチレンの製造プロセスにおける、好ましい成分（ｂ）、（ｃ）及び（ｄ）、及び所望により更なる添加物、は組成物のために述べられたものと同様である。
【実施例】
【００９０】
以下の実施例は本発明をより詳細に説明する。部又はパーセンテージは質量に関する。
【実施例１】
【００９１】
試料の製造とＬＤＰＥ内での水トリー成長の測定
表１−３記載の使用量の添加物を過酸化物（過酸化ジクミル又は過酸化第三ブチルクミル）と予混合した。３００ｇのポリマーペレット［ＥＸＸＯＮ  ＬＤ  １００  ＭＥＤ，  ７０℃で約１時間予熱したもの］及び添加物／過酸化物の混合物を丸フラスコへ入れた。この混合物はウォーターバスで７０℃で加熱し、添加物／過酸化物の混合物が浸透し、ペレットが乾燥したように見えるまで回転した。これら乾燥ペレットは二本ロールミルで１１５℃で１５分間均一化した。２８ｇのロールミルシートが圧縮成形型（ＡＳＴＭ  Ｄ−６０９７−００による）の両サイドで得た。圧縮成形型は、１２０℃で５分間保持した後、１８０℃で２０分間保持した。その後型は加圧下室温まで冷却した。
【００９２】
電解液（０．０１Ｎの食塩水）を接地した槽に置かれた容器へ満たし入れた。満杯の容器へ白金電極を浸漬し、電源に接続した。６５℃で７日間、６ｋＨｚの周波数で５ｋＶの電力を供給した。曝された試料はメチレンブルーで色づけされた水に１時間置いた。視覚化された水トリーの長さを顕微鏡によって測定した。参照試料との比較はパーセントでの水トリー成長率（ＷＴＧＲ）を与えた。パーセンテージが低い程、水トリー耐性が良い。結果は表１ないし表３にまとめた。
【表１】
2010506985.tif 000004
【表２】
2010506985.tif 000005
【表３】
2010506985.tif 000006
【表４】
2010506985.tif 000007
ａ）比較例
ｂ）本発明による例
ｃ）イルガノックス（登録商標：Ｉｒｇａｎｏｘ）４１５は式Ｃで表される化合物である。
【化３】
2010506985.tif 000008
ｄ）イルガスタブ（登録商標：Ｉｒｇａｓｔａｂ）ケーブル  ＫＶ１０は式Ａで表される化合物である。
【化４】
2010506985.tif 000009
ｅ）アトマー（登録商標：Ａｔｍｅｒ、ＩＣＩグループ）１６３はエトキシ化炭素原子数１３ないし１５のジアルキルアミン［エタノール、２，２’−イミノビス−、Ｎ−炭素原子数１３ないし１５のアルキル誘導体］である。
アトマー（登録商標：Ａｔｍｅｒ、ＩＣＩグループ）１２９はグリシジルモノステアリン酸エステルである。
アトマー（登録商標：Ａｔｍｅｒ、ＩＣＩグループ）１６９はエトキシ化ヤシ油アミンである。
アトマー（登録商標：Ａｔｍｅｒ、ＩＣＩグループ）２６１はエトキシ化牛脂アミンである。
アトマー（登録商標：Ａｔｍｅｒ、ＩＣＩグループ）１１０はエトキシ化ソルビタンモノラウリン酸エステルである。
アトマー（登録商標：Ａｔｍｅｒ、ＩＣＩグループ）１８４はポリグリセロールステアリン酸エステルである。
アトマー（登録商標Ａｔｍｅｒ、ＩＣＩグループ）１５４はポリエチレングリコールモノラウリン酸エステルである。
アトマー（登録商標：Ａｔｍｅｒ、ＩＣＩグループ）１８１はペンタエリトリトールモノステアリン酸エステルである。
アトマー（登録商標：Ａｔｍｅｒ、ＩＣＩグループ）１８２はペンタエリトリトールジステアリン酸エステルである。
ｆ）イルガノックス（登録商標：Ｉｒｇａｎｏｘ）１０８１は式Eで表される化合物であ
る。
【化５】
2010506985.tif 000010
ｆ）イルガノックス（登録商標：Ｉｒｇａｎｏｘ）１７２６は式Ｂで表される化合物である。
【化６】
2010506985.tif 000011
【００９３】
本発明の実施例１ｂないし１ｅ、１ｇないし１ｊ及び１ｌないし１ｓは、最新技術の安定化に従う例１ａ、１ｆ及び１ｋと比較して、顕著に減少した水トリー成長率を明らかに示す。
【国際調査報告】
2010506985.tif 000013
2010506985.tif 000014